(57)【要約】【課題】居住者による防犯カバーの着脱操作を容易にする一方、外部の者によるサムターンの不正解錠を不可能とし、防犯性の向上を図ることにある。【解決手段】外方に張り出した突起７を数か所有し磁石６が埋設されている裾部分５及びサムターン２全体を覆うことができる大きさの透明のドーム状部分からなる防犯カバー１を、当該突起７に対応する切欠部分９、当該突起７を固定するスペース部分１０及び磁石６が埋設されている防犯カバー１の裾部分５が接地するドーナツ状の金属プレート部分８からなる環状の防犯カバーホルダー３に係合固定させることにより、サムターン回し等の不正解錠を防止することができる。【選択図】図１
2006037698.tif 000002
【特許請求の範囲】
【請求項１】
外方に張り出した突起を数か所有し磁石が埋設されている裾部分及びサムターン全体を覆うことができる大きさの透明のドーム状部分からなる防犯カバー
【請求項２】
外方に張り出した突起を数か所有し磁石が埋設されている裾部分及びサムターン全体を覆うことができる大きさの透明のドーム状部分からなる防犯カバーと、当該突起に対応する切欠部分、当該突起を固定するスペース部分及び磁石が埋設されている防犯カバーの裾部分が接地するドーナツ状の金属プレート部分からなる環状の防犯カバーホルダーと、からなるサムターン不正解錠防止部材
【請求項３】
請求項２に記載されたサムターン不正解錠防止部材であって、サムターンと防犯カバーを一体化させたことを特徴とするサムターン不正解錠防止部材
【発明の詳細な説明】
【技術分野】
【０００１】  本発明は、主に室内側から扉の施解錠操作に用いられるサムターンが不正に操作されて解錠されないようにするための防犯部材に関する。
【背景技術】
【０００２】  住宅やマンション等の玄関扉や事務所の出入口用扉には一般的に錠箱が設けられる。この錠箱は、扉の自由側端縁から進退する錠杆を扉枠に係合・係合解除させ、扉を施解錠する施解錠機構を内蔵し、扉の室外側に取りつけられるシリンダーと、扉の室内側に取りつけられるサムターンに連結され、室外側からはシリンダーの鍵穴に鍵を挿入して鍵を回転させることにより、室内側からはサムターンを回転させることにより施解錠動作される。即ち、室外側からの施解錠操作には鍵が必要となるが、室内側からの施解錠操作には鍵は必要ない。【０００３】  サムターンは、下記特許文献１にも開示されるように、扉の室内面側に垂直に突出した板状の摘みを有する。この摘みは、サムターン軸を介して錠箱の施解錠機構に連結される。従って、室内側からは、この摘みを指で摘んで回転操作することで回転操作力がサムターン軸を介して直接錠箱へ伝達され、施解錠機構により錠扞が進退されて、扉が容易に施解錠される。【０００４】  ところが、近年、ポスト口あるいはドリル等の機械工具によって開けた小さな穴から棒や針金等を挿入し、サムターンの一部に引っ掛け、又は押し回して解錠するといった不正な態様での解錠による犯罪が増加している。このような不正解錠を防止するものとして、例えば下記特許文献２に開示されるサムターン用防犯カバーがある。【０００５】  このサムターン用防犯カバーは、サムターンが嵌入する嵌入孔を有するとともに、サムターンを覆う外面部分が、円状軌跡に沿う円形状に形成されている。カバー側面には、上記の嵌入孔に螺入してサムターンの側面に当接し、両側からサムターンを挟持するセットスクリューが設けられている。このような構成からなる防犯カバーは、嵌入孔にサムターンを挿入して、サムターンを覆うように防犯カバーをサムターンに固定する。従って、サムターンに被せた防犯カバーによって、針金等を係止させたり、棒で押しまわしたりするサムターンの不正解錠操作が難しくなる。【０００６】  また、上述の防犯カバーの別態様として、防犯カバーを、取付部及び本体部から構成したものが開示されている。取付部は、上記の防犯カバーの外形を手による操作が容易となるように形成し、本体部が係止する係止突部を設けている。取付部は、サムターンに被せた状態でサムターンを回転させることができる。また、本体部は、係止突部に係止可能な係止部を有している。このように、係止作業という簡単な操作によって防犯カバーの着脱が行える。さらに、係止部で本体部が空転することによって、針金等を係止させたり、棒で押し回したりする不正解錠操作が不可能となる。
【特許文献１】特公平０２−０１５７１５
【特許文献２】実公平０４−０４０３６２
【発明の開示】
【発明が解決しようとする課題】
【０００７】  しかし、上述した防犯カバーは、外形が円筒形状であるため、指で摘んで回すという容易な回転操作が行えない。また、防犯カバーを被せない状態においては、板状のサムターン摘みの状態（水平か、鉛直か）によって、施錠状態・解錠状態の区別が一目瞭然であったのが、防犯カバーを被せることによって施錠状態・解錠状態の区別が視認不能となる結果、誤操作か生じやすくなる。それぐらいなら、サムターンを使用しないときは防犯カバーを装着し、サムターンを使用するときは防犯カバーを外して操作した方がましであるが、だからといって、上記セットスクリューの操作はワンタンチというわけではないので着脱操作が煩雑である。【０００８】  本発明は上記事情に鑑みてなされたもので、居住者による防犯カバーの着脱操作を容易にする一方、外部の者によるサムターンの不正解錠を不可能とし、防犯性の向上を図ることを目的とする。
【課題を解決するための手段】
【０００９】  上記目的を達成するため、請求項１に記載された発明は、外方に張り出した突起を数か所有し磁石が埋設されている裾部分及びサムターン全体を覆うことができる大きさの透明のドーム状部分からなる防犯カバーであることを特徴とする。【００１０】  また、請求項２に記載された発明は、外方に張り出した突起を数か所有し磁石が埋設されている裾部分及びサムターン全体を覆うことができる大きさの透明のドーム状部分からなる防犯カバーと、当該突起に対応する切欠部分、当該突起を固定するスペース部分及び磁石が埋設されている防犯カバーの裾部分が接地するドーナツの状金属プレート部分からなる環状の防犯カバーホルダーと、からなるサムターン不正解錠防止部材であることを特徴とする。【００１１】  さらに、請求項３に記載された発明は、請求項２に記載されたサムターン不正解錠防止部材であって、サムターンと防犯カバーを一体化させたことを特徴とする。
【発明の効果】
【００１２】  防犯カバー１をサムターン２に被せると、サムターン回しのためのツールを用いてサムターン２を回転させることができないのみならず、ドーム型の防犯カバー１にはツールの先端が引っ掛かるところがないので、防犯カバー自体を除去することもできない。【００１３】  また、防犯カバー１の裾部５に磁石６を埋設したので、防犯カバーホルダー３に固定された後に防犯カバー１が次第に回転して抜落するようなこともない。それに、防犯カバー１を使用しないときは、磁石６の力で扉４の適当な面に付着させておくことができるので、従来の防犯カバーのような管理の煩雑さ、紛失の心配等から解放される。【００１４】  さらに、防犯カバー１は透明なので、施錠状態なのか解錠状態なのかについても一目で分る。
【発明を実施するための最良の形態】
【００１５】  本発明に係るサムターン不正解錠防止部材は、防犯カバー１、防犯カバーホルダー３とからなる。本発明の実施環境を述べた上で、各構成要件について説明する。【００１６】  先ず、本発明の実施環境について述べる。一般住宅やオフィスの玄関その他の扉には、防犯を目的として施錠・解錠を行うことのできる扉錠が装着されているが、本発明は、かかる扉錠の一機構として機能する。
即ち、扉４の室外側にはシリンダーが装着され、扉の室内側にはサムターン２が装着されるのが一般的である。そして、このサムターン２がサムターン回し等の不正手段によって解錠されないようにするために、本発明に係るサムターン不正解錠防止部材を装着させるのである。
なお、シリンダー、サムターンについては周知のものを使用するため特に説明しない。【００１７】  本発明に係るサムターン不正解錠防止部材を装着させる扉の内部には（図示しない）錠箱が埋設されており、その錠箱は、ランチボルト、デッドボルト、及びこれらを扉の自由側端縁から進退させる錠箱機構部を内設している。【００１８】  次に、構成要素について述べる。【００１９】  第一に、防犯カバー１について説明する。防犯カバー１の裾部５には、磁石６が埋設されている。磁石６を埋設することとしたのは、鉄扉４に直接あるいは防犯カバーホルダー３の金属プレート８に付着させるためであり、防犯カバーホルダー３に固定された後に防犯カバー１が次第に回転して抜落することのないようにするためでもある。
また、裾部５には、外方に張り出した突起７が数か所設けられている。この突起７は、防犯カバーホルダー３の固定用スペース１０に係合させるためのものである。【００２０】  第二に、防犯カバーホルダー３について説明する。防犯カバーホルダー３は、もちろん鉄扉用としても使用できるが、特に木製扉用として使用する場合に存在意義がある。つまり、防犯カバー１にはその裾部５に磁石６が埋設されているため、鉄扉４に使用する場合には防犯カバー１を直接鉄扉４に付着させることができる。とすれば、必ずしも防犯カバーホルダー３は必要ないということになる。しかし、木製扉の場合は直接扉４に付着させることができないので、防犯カバーホルダー３が必須となる。防犯カバーホルダー３は、防犯カバー１の裾部５に位置する突起７に対応する切欠部分９、当該突起を固定するスペース部分１０、及び、磁石６が埋設されている防犯カバーの裾部分が接地するドーナツ状の金属プレート部分８からなる環状のものである。金属プレート部分８の形状を中空のドーナツ状にしたのは、サムターン２を潜らせなければ防犯カバーホルダー３の背面を扉面に接地させることができないからである【００２１】  基本的構成要素は、上記２つである。
次に、上記の構成を有するサムターン保護部材の作用を説明する。【００２２】  まず、防犯カバーホルダー３を、扉面に接着させる必要がある。簡単に取れたり落ちたりしないようにするため、接着力の大きい接着剤や両面テープで接着させることが望ましい。接着させる場所はどこでも良いわけではなく、サムターン２を潜らせて接着させる必要がある。なぜなら、防犯カバー１をサムターン２に被せたときに、磁石６が埋設されている防犯カバー１の裾部５が防犯カバーホルダー３の金属プレート部分８にうまく接地できるようにする必要があるからである。【００２３】  次に、防犯カバー１の取り付け方法について説明する。防犯カバーホルダー３を使用しない場合と使用する場合とに分けて説明する。防犯カバーホルダー３を使用しない場合は、そのままサムターン２に被せるだけでよい。他方、防犯カバーホルダー３を使用する場合には、以下のように取り付ける。
防犯カバー裾部５の係合用突起７が防犯カバーホルダー３の切欠部９に来るよう位置を合わせて嵌合させる。防犯カバー１を最後まで押し込んだ後は、防犯カバー１の係合用突起７を防犯カバーホルダー３のスペース１０に潜り込ませるようにして防犯カバー１を回転させて固定する。【００２４】  以上のような簡単な操作により、在室中・外室中を問わず、針金や棒等によるサムターンの不正解除を防止することができ、高い防犯性を維持することができる。
【実施例１】
【００２５】  防犯カバー１のみを使用する態様であり、請求項１に記載された発明に対応する。
図４に示すように、扉４に設置されたサムターン２にそのまま防犯カバー１を被せただけの態様である。ドーム状の透明樹脂からなるカバーであって、図２に示すように、裾部５には複数の磁石６が一定間隔で埋め込まれている。
【実施例２】
【００２６】  防犯カバー１と防犯カバーホルダー３を使用する態様であり、請求項２に記載された発明に対応する。
図１に示すように、サムターン２を囲むようにして防犯カバーホルダー３を扉面に接着させる。そして、必要に応じて防犯カバー１を被せる。
【実施例３】
【００２７】  サムターン２と防犯カバー１を一体化させたことを特徴とするサムターン不正解錠防止部材であり、請求項３に記載された発明に対応する。
図５に示すように、防犯カバーホルダー３と一体化したサムターン２を扉４に取り付け、必要に応じて防犯カバー１を被せるという態様である。
【図面の簡単な説明】
【００２８】
【図１】請求項２に記載するサムターン不正解錠防止部材
【図２】防犯カバーの底面図
【図３】防犯カバーホルダーの斜視図
【図４】請求項１に記載するサムターン不正解錠防止部材
【図５】請求項３に記載するサムターン不正解錠防止部材
【符号の説明】
【００２９】１…防犯カバー
２…サムターン
３…防犯カバーホルダー
４…扉
５…防犯カバーの裾部
６…磁石
７…突起
８…金属プレート
９…切欠
１０…スペース部分
【図１】
2006037698.tif 000003
【図２】
2006037698.tif 000004
【図３】
2006037698.tif 000005
【図４】
2006037698.tif 000006
【図５】
2006037698.tif 000007